(57)【要約】【課題】外壁見切り部が、所謂、外壁面材勝ちの納まりにおいても、外壁見切り部において高い防水性を得ることのできる、外壁見切り部の防水構造とその形成方法を提供すること。【解決手段】建物の外壁面材１Ａの途中位置に見切り材５の見切り部５ａが位置する、外壁見切り部の防水構造１００（１００Ａ）であって、外壁面材１Ａの上端から外壁面に亘って折り曲げられ、上端に固定されている水返しシート１０を有する。【選択図】図３
2019105090.tif 000002
【特許請求の範囲】
【請求項１】
建物の外壁面材の途中位置に見切り材の見切り部が位置する、外壁見切り部の防水構造であって、
前記外壁面材の上端から外壁面に亘って折り曲げられ、該上端に固定されている水返しシートを有することを特徴とする、外壁見切り部の防水構造。
【請求項２】
前記水返しシートが前記上端に接着剤もしくは接着シートを介して固定されていることを特徴とする、請求項１に記載の外壁見切り部の防水構造。
【請求項３】
前記水返しシートが、変形性と伸縮性を有する樹脂製シートであることを特徴とする、請求項１又は２に記載の外壁見切り部の防水構造。
【請求項４】
前記見切り材の先端で前記水返しシートが前記外壁面材に押圧されていることを特徴とする、請求項１乃至３のいずれか一項に記載の外壁見切り部の防水構造。
【請求項５】
屋根に通じる吊木にて前記水返しシートが前記外壁面材に押圧されていることを特徴とする、請求項１乃至３のいずれか一項に記載の外壁見切り部の防水構造。
【請求項６】
前記外壁面材が、軒、棟もしくはケラバに通じる外壁面材、もしくは、バルコニーの笠木に通じる腰壁材のいずれか一種であることを特徴とする、請求項１乃至５のいずれか一項に記載の外壁見切り部の防水構造。
【請求項７】
建物の外壁面材の途中位置に見切り材の見切り部が位置する、外壁見切り部の防水構造の施工方法であって
工場において、折り曲げられた水返しシートを前記外壁面材の上端から外壁面に亘って配設し、該上端に固定するプレ固定工程と、
前記水返しシートが固定されている前記外壁面材を現場搬送して建て込み、該外壁面材の途中位置に見切り材の見切り部を位置決めする見切り材施工工程と、を有することを特徴とする、外壁見切り部の防水構造の形成方法。
【請求項８】
前記プレ固定工程において、前記水返しシートを前記上端に接着剤もしくは接着シートを介して固定することを特徴とする、請求項７に記載の外壁見切り部の防水構造の形成方法。
【発明の詳細な説明】
【技術分野】
【０００１】
本発明は、建物の外壁見切り部の防水構造とその形成方法に関する。
【背景技術】
【０００２】
軒天材が、建物の外壁面材の上端を通って建物の内側まで延びている、所謂、軒天勝ち（外壁面材負け）の納まりにおいては、外壁面材の上端と軒天材の間に止水材を介在させることができ、外壁面材と軒天材の間の外壁見切り部の防水構造を容易に形成することができる。一方、建物の外壁面材の途中位置に軒天材の見切り部が位置する、所謂、外壁面材勝ち（外装材勝ち）の納まりでは、外壁面材に多数の凹凸が存在することから、外壁見切り部での完全な防水構造の形成は極めて難しくなる。
【０００３】
ここで、外壁面材勝ちの納まりにおける、軒天見切り構造が提案されている。具体的には、軒天材の基端部と、建物の躯体に対して所定間隔を隔てて取り付けられた外装材の上端部と、の間に、軒天見切材を設けて外装材勝ちの構造とし、外壁内部の空間と屋根裏部とを連通させて外壁内部の通気路を確保する。さらに、軒天見切材の係合部の裏側が外装材の上端部表面に当接される構成とするものである（例えば、特許文献１参照）。
【先行技術文献】
【特許文献】
【０００４】
【特許文献１】特開２００２−９７７６６号公報
【発明の概要】
【発明が解決しようとする課題】
【０００５】
しかしながら、特許文献１に記載の軒天見切り構造では、軒天見切り材と外装材の間の隙間から雨水等が建物内部に浸入する恐れがある。
【０００６】
本発明は上記課題に鑑みてなされたものであり、外壁見切り部が、所謂、外壁面材勝ちの納まりにおいても、外壁見切り部において高い防水性を得ることのできる、外壁見切り部の防水構造とその形成方法を提供することを目的としている。
【課題を解決するための手段】
【０００７】
前記目的を達成すべく、本発明による外壁見切り部の防水構造の一態様は、建物の外壁面材の途中位置に見切り材の見切り部が位置する、外壁見切り部の防水構造であって、
前記外壁面材の上端から外壁面に亘って折り曲げられ、該上端に固定されている水返しシートを有することを特徴とする。
【０００８】
本態様によれば、外壁面材の上端から外壁面に亘って折り曲げられて配設されている水返しシートが外壁面材の上端に固定されていることにより、吹き込んでくる雨水を水返しシートで跳ね返すことができ、外壁見切り部において高い防水性を得ることができる。また、水返しシートが外壁面材の上端に固定されていることから、外壁面材の表面に柄模様（凹凸）がある場合においても、さらには、この凹凸が深い深掘り模様の場合においても、外壁見切り部における防水性が左右されることはない。
【０００９】
また、本発明による外壁見切り部の防水構造の他の態様は、前記水返しシートが前記上端に接着剤もしくは接着シートを介して固定されていることを特徴とする。
【００１０】
本態様によれば、外壁面材の上端に水返しシートを容易に固定することができる。例えば、水返しシートをクリップ等で固定する形態と比べると、固定容易性は顕著である。また、接着固定であることから、例えばボルト固定などのように、水返しシートの上方に突出する突起物が存在せず、軒桁や野縁等の他部材との干渉の問題は生じない。
【００１１】
また、本発明による外壁見切り部の防水構造の他の態様は、前記水返しシートが、変形性と伸縮性を有する樹脂製シートであることを特徴とする。
【００１２】
本態様によれば、外壁建込みの後施工部材と水返しシートが干渉した場合でも、水返しシートが変形もしくは伸縮することにより、後施工部材への損傷を抑制しながら後施工部材の施工を可能とすることができる。なお、ここで、「変形性」とは折れ曲がり性を意味しており、「伸縮性」とは水返しシートの厚み方向や幅方向に伸縮して体積変化できる性能を意味している。
【００１３】
また、本発明による外壁見切り部の防水構造の他の態様は、前記見切り材の先端で前記水返しシートが前記外壁面材に押圧されていることを特徴とする。
【００１４】
本態様によれば、水返しシートのうち、外壁面に接触している箇所が見切り材の先端で外壁面材に対して見切り部の全延長に亘って押圧されていることにより、吹き込んでくる雨水による水返しシートの跳ね上がりが抑制され、より一層高い防水効果が得られる。なお、「見切り材の先端で水返しシートが外壁面材に押圧されている」なる構成は、見切り材の先端が水返しシートを直接外壁面材に押圧する形態の他にも、見切り材の先端に止水材が取り付けられていて、この止水材が水返しシートを外壁面材に押圧する形態（すなわち、見切り材の先端が間接的に水返しシートを外壁面材に押圧する形態）も含んでいる。
【００１５】
また、本発明による外壁見切り部の防水構造の他の態様は、屋根に通じる吊木にて前記水返しシートが前記外壁面材に押圧されていることを特徴とする。
【００１６】
本態様によれば、水返しシートのうち、外壁面に接触している箇所が屋根に通じる吊木で外壁面材に対して吊木の接触面で押圧されていることにより、吹き込んでくる雨水による水返しシートの跳ね上がりが抑制され、より一層高い防水効果が得られる。また、水返しシートのうち、吊木にて直接押圧されていない領域（吊木と吊木の間の領域）においても、吊木による押し付け効果によって防水性が高められる。
【００１７】
また、本発明による外壁見切り部の防水構造の他の態様は、前記外壁面材が、軒、棟もしくはケラバに通じる外壁面材、もしくは、バルコニーの笠木に通じる腰壁材のいずれか一種であることを特徴とする。
【００１８】
本態様によれば、建物の様々な外壁見切り部において、本発明の防水構造の適用が可能になる。ここで、軒には、勾配軒と水平軒の双方の軒天が含まれ、軒の出が小さい、所謂軒ゼロと称される軒も包含される。棟は、例えば片棟（片流れ棟）構造の屋根の破風板下方の軒天と外壁面材の見切り部を意味する。ケラバは、軒に直交するケラバの破風板と外壁面材との見切り部を意味する。バルコニーは、腰壁の上に笠木が固定されるが、笠木と腰壁の間に防水材（乾式もしくは湿式）が配設される構造において、この腰壁（外壁面材）の上端であって笠木の下方において水返しシートが配設され、腰壁の上端に固定される。このように、様々な形態の屋根やバルコニー腰壁を有する建物において、外壁面に形成される様々な見切り部における防水構造に適用可能である。
【００１９】
また、本発明による外壁見切り部の防水構造の形成方法の一態様は、建物の外壁面材の途中位置に見切り材の見切り部が位置する、外壁見切り部の防水構造の施工方法であって
工場において、折り曲げられた水返しシートを前記外壁面材の上端から外壁面に亘って配設し、該上端に固定するプレ固定工程と、
前記水返しシートが固定されている前記外壁面材を現場搬送して建て込み、該外壁面材の途中位置に見切り材の見切り部を位置決めする見切り材施工工程と、を有することを特徴とする。
【００２０】
本態様によれば、予め工場において外壁面材に折り曲げられた水返しシートを固定し、水返しシートが固定された外壁面材を現場搬送して建て込むことにより、外壁面材を建て込んだ際に水返し材の配設が同時に行われ、施工効率性を高めることができる。また、現場にて水返しシートを取付けないことから、作業員による技量によって防水性が左右されることもない。
【００２１】
また、本発明による外壁見切り部の防水構造の形成方法の他の態様は、前記プレ固定工程において、前記水返しシートを前記上端に接着剤もしくは接着シートを介して固定することを特徴とする。
【００２２】
本態様によれば、水返しシートが外壁面材の上端に接着固定されていることから、例えばボルト固定などのように、水返しシートの上方に突出する突起物が存在せず、従って、外壁面材の建込施工の後工程の際にこのような突起物が後工程で施工される他部材と干渉するといった問題は生じない。
【００２３】
また、本発明による外壁見切り部の防水構造の形成方法の他の態様は、前記見切り材施工工程において、前記見切り材の先端で前記水返しシートを前記外壁面材に押圧することを特徴とする。
【００２４】
本態様によれば、水返しシートのうち、外壁面に接触している箇所を、外壁面材の建込後に施工される見切り材の先端で外壁面材に対して押圧することにより、吹き込んでくる雨水による水返しシートの跳ね上がりを抑制することができ、より一層高い防水効果を有する防水構造を形成することができる。
【００２５】
また、本発明による外壁見切り部の防水構造の形成方法の他の態様は、屋根に通じる吊木を施工する吊木施工工程をさらに有し、
前記吊木施工工程において、前記吊木にて前記水返しシートを前記外壁面材に押圧することを特徴とする。
【００２６】
本態様によれば、外壁面に接触している箇所を、外壁面材の建込後に施工される屋根に通じる吊木で外壁面材に押圧することにより、吹き込んでくる雨水による水返しシートの跳ね上がりを抑制することができ、より一層高い防水効果を有する防水構造を形成することができる。
【発明の効果】
【００２７】
以上の説明から理解できるように、本発明の外壁見切り部の防水構造とその形成方法によれば、外壁見切り部が、所謂、外壁面材勝ちの納まりにおいても、外壁見切り部において高い防水性を得ることができる。
【図面の簡単な説明】
【００２８】
【図１】水返しシートの一例を、接着シートを介して外壁面材に取り付ける手順図として示す図である。
【図２】接着シートの幅に関する実施形態を示す縦断面図である。
【図３】第１の実施形態に係る外壁見切り部の防水構造の一例を示す縦断面図である。
【図４】第２の実施形態に係る外壁見切り部の防水構造の一例を示す縦断面図である。
【図５】第３の実施形態に係る外壁見切り部の防水構造の一例を示す縦断面図である。
【図６】第４の実施形態に係る外壁見切り部の防水構造の一例を示す縦断面図である。
【図７】第５の実施形態に係る外壁見切り部の防水構造の一例を示す縦断面図である。
【発明を実施するための形態】
【００２９】
以下、本発明の各実施形態に係る外壁見切り部の防水構造について添付の図面を参照しながら説明する。なお、本明細書及び図面において、実質的に同一の構成要素については、同一の符号を付することにより重複した説明を省く。
【００３０】
［水返しシートの一例、及び水返しシートを外壁面材へ取り付けて現場にて建て込むまでの手順について］
はじめに、図１を参照して、水返しシートの一例を説明するとともに、水返しシートを外壁面材へ取り付けて現場にて建て込むまでの手順について説明する。ここで、図１は、水返しシートの一例を、接着シートを介して外壁面材に取り付ける手順図として示す図である。図１（ａ）に示すように、取付けられる外壁面材の長さに応じた長さｕの折り返し前の水返しシート１０'（二点鎖線図）をＸ方向に折り曲げ加工し、水返しシート１０を製作する。この水返しシート１０は、金属板、樹脂板等、その素材は多様であるが、変形性と伸縮性を有する樹脂板から製作されることが好ましく、ポリプロピレン（ＰＰ）やポリエチレン（ＰＥ）、ポリスチレン（ＰＳ）、ポリ塩化ビニル（ＰＶＣ）、ポリエステル、ポリアミドなどの熱可塑性樹脂板などを挙げることができる。
【００３１】
変形性と伸縮性を有する水返しシート１０を適用することにより、外壁面材の建込後に施工が行われる後施工部材と水返しシート１０が干渉した際に、この後施工部材への損傷を抑制しながら、水返しシート１０が折れ曲がる等の変形やシートの厚み方向に収縮する等の伸縮によって、後施工部材の施工を可能にできる。
【００３２】
図１（ｂ）に示すように、建物の外壁を構成する外壁面材１Ａのうち、軒やケラバ等の屋根側の最上部に位置する外壁面材１Ａに対し、その上端から外壁面に亘って折り曲げられた水平部１１と垂直部１２を有する水返しシート１０を配設し、接着シート２０を介して外壁面材１Ａの上端に水返しシート１０の水平部１１の下面を接着する。このように、外壁面材１Ａの上端において、接着シート２０を介して外壁面材１Ａの上端から外壁面に亘って水返しシート１０が配設され、固定されることにより、外壁見切り部の防水構造１００が形成される。ここで、「外壁見切り部の防水構造」とは、所謂、外壁面材勝ちの納まりにおける、軒やケラバ、バルコニーの腰壁上部の笠木近傍の見切り部における防水構造のことである。
【００３３】
なお、外壁面材１Ａはサイディング材から形成されている。このサイディング材としては、窯業系サイディング、アルミや鋼板からなる金属系サイディング、天然木を加工してなる木質系サイディング、塩化ビニル樹脂等からなる樹脂系サイディングなどが挙げられる。そして、この外壁面材１Ａは、その表面（外壁面）に様々な凹凸からなる柄模様を有しており、図示例は、多数の垂直凹部１ａと水平凹部１ｂにより、正面視矩形状の凸部が上下左右に連続して形成される柄模様を示している。各凹部１ａ，１ｂともに、深さが９ｍｍ程度のものや、さらに深掘りの１２ｍｍ程度の深さのものがある。このように外壁面材１Ａの外壁面に様々な柄模様が形成されていても、外壁面材１Ａの平坦な上端において水返しシート１０が固定されることから、水返しシート１０の外壁面材１Ａへの取付け性や取付け部の強度が外壁面材１Ａの柄模様に左右されることはない。
【００３４】
この外壁見切り部の防水構造１００の形成は、外壁面材１Ａを出荷する工場や、外壁面材１Ａを製作する工場等、少なくとも現場搬送前のいずれかの工場にて予め行われる。従って、図１（ｂ）に示すように、上端に水返しシート１０が接着固定された状態の外壁面材１Ａが現場に搬送され、現場にて外壁面材１Ａが建て込まれるのと同時に、外壁面材１Ａの上端には水返しシート１０が取り付けられ、外壁見切り部の防水構造１００が同時に形成されることになる。そのため、現場にて水返しシート１０を取付ける施工手間が省略されるとともに、作業員による取付け技量に左右されることなく、水返しシート１０の取付け精度の高い外壁見切り部の防水構造１００が提供できる。
【００３５】
接着シート２０としては、例えば、防水性の高い両面接着用のブチルテープなどを挙げることができる。なお、本発明の各実施形態に係る外壁見切り部の防水構造では、水返しシート１０が外壁面材１Ａの上端において接着固定されて形成されることを必須とするものではないが、接着固定による固定形態が好ましい。接着シート２０を用いて外壁面材１Ａの上端に水返しシート１０を接着することにより、例えば、ボルト等で水返しシート１０を固定する場合にボルトが水返しシート１０の上方に突出し、後施工部材の施工時に突出するボルトと干渉するといった施工時の問題は生じない。また、例えば水返しシート１０を外壁面材１Ａの室内側の通気層へも折り曲げ、この通気層にクリップ等を差し込んで水返しシート１０の固定を行う場合のように、現場による作業が余儀なくされることもなくなる。
【００３６】
次に、図２を参照して、接着シートの幅に関する実施形態について説明する。図２には、外壁面材１Ａの厚みに対して二種類の幅の接着シートを示している。まず、図２（ａ）に示す実施形態は、外壁面材１Ａの厚みｔ０に対し、その半分程度の幅ｔ１を有する接着シート２０を示している。なお、幅ｔ１は厚みｔ０の半分よりも狭幅であってもよく、水返しシート１０と外壁面材１Ａの間において所望の接着性が確保できれば幅ｔ１は様々に設定できる。
【００３７】
建物に適用される外壁面材１Ａの厚みｔ０は、例えば１２ｍｍ乃至２５ｍｍと様々な厚みのものが存在し、凹部１ｂの深さも様々存在するが、例えば、全ての厚みの外壁面材１Ａに適用可能な幅の接着シート２０を用意することにより、その汎用性が高くなる。例えば、外壁面材１Ａの厚みｔ２が１２ｍｍ乃至２５ｍｍの場合において、接着シート２０の幅ｔ１を７ｍｍ乃至１２ｍｍ程度に設定しておくことにより、接着シート２０の汎用性を高めることができる。
【００３８】
また、図２（ａ）に示すように、接着シート２０は、外壁面材１Ａの上端において、室内側の端辺に沿うようにして接着される。後述するように、外壁面材１Ａの上方（もしくは斜め上方）には、軒桁や屋根部材等、様々な構造躯体が存在する。水返しシート１０の垂直片１２と外壁面材１Ａの外壁面の間に雨水がＹ方向に仮に吹き込んできた場合でも、接着シート２０による接着部位が外壁面から離れていることにより、勢いが可及的に減殺された雨水が接着シート２０に到達することとなり、雨水が接着シート２０を介して室内側へ浸み込むことを抑制することができる。
【００３９】
一方、図２（ｂ）に示す接着シート２０Ａは、その幅ｔ２が外壁面材１Ａの厚みｔ０と同程度の形態である。使用される外壁面材１Ａの厚みｔ０に応じた接着シート２０Ａを用意する必要があり、多様な厚みの外壁面材１Ａに対する汎用性はないものの、接着シート２０Ａによる接着面積が広くなることから、外壁面材１Ａの上端からの水返しシート１０の剥がれ防止効果が高まる。
【００４０】
本発明の各実施形態に係る外壁見切り部の防水構造は、図１（ｂ）に示す防水構造を基本構成としながら、この防水構造が適用される建物部位や屋根種等により、多様な形態の防水構造を提供することができる。以下、図２（ａ）に示す形態の接着シート２０を適用した、各種実施形態に係る外壁見切り部の防水構造について詳説する。
【００４１】
［第１の実施形態に係る外壁見切り部の防水構造］
次に、第１の実施形態に係る外壁見切り部の防水構造の一例を、図３を参照して説明する。図３は、第１の実施形態に係る外壁見切り部の防水構造を示す縦断面図である。図３に示す防水構造１００Ａは、建物の軒天のうち、勾配軒の軒元における外壁見切り部の防水構造である。
【００４２】
まず、外壁１は、外壁面材１Ａと、通気層１Ｃを介して室内側に配設された外張り断熱材（外壁下地材）１Ｂと、を有する。なお、この通気層１Ｃには、所定の間隔を置いて不図示の複数の縦胴縁が配設されており、この縦胴縁を介して外壁面材１Ａと外張り断熱材１Ｂが固定されている。外壁面材１Ａは、既述するように例えば窯業系のサイディングボードである。外張り断熱材１Ｂは、グラスウールを断熱性能が最も高くなる密度にて圧縮したボードであり、その表面に透湿防水シート１ｄが貼り付けられている。外張り断熱材１Ｂの室内側の上端には軒桁４を支持する横胴縁２があり、横胴縁２の下方にはグラスウールやロックウール等を素材とする断熱材３が配設されている。このように、図示例の外壁１は、外張り断熱材１Ｂと断熱材３とを有する二重断熱構造となっているが、このような二重断熱構造に限らず、外張り断熱材１Ｂに代わって、表面に透湿防水シート１ｄが貼り付けられている一般的な下地材（下地ボード）を外装材１の構成要素としてもよい。また、図示を省略するが、断熱材３の室内側の面には防湿シートが配設され、さらにその室内側に石膏ボード等の内装材が配設される。
【００４３】
外壁１の上方には、所定勾配を有する屋根７が配設されている。屋根７は、屋外側から、屋根葺き材７４、アスファルト等のルーフィング（防水層）、野地板７２、垂木７１を有し、垂木７１には野縁６１や縦野縁６２が取り付けられ、野縁６１には傾斜した軒天材６３が取り付けられている。また、図示を省略するが、縦野縁６２の軒先には、下地材を介して鼻隠し材が取り付けられている。
【００４４】
軒天材６３のうち、外壁面材１Ａ側の端部には金属製の見切り材５が取り付けられている。この見切り材５は、外壁１の幅方向（図３の紙面に直交する方向）に延びており、見切り材５における外壁面材１Ａ側の側面からは断面形状が屈曲した見切り部５ａが張り出している。そして、水返しシート１０の垂直片１２の下方表面が見切り部５ａにて外壁面材１Ａ側にＺ１方向に押圧され、外壁見切り部の防水構造１００Ａが形成されている。
【００４５】
勾配軒であって、外壁面材勝ちの納まりにおける軒元では、図３に示すように、外壁面材１Ａの上端から水返しシート１０の垂直片１２の下端までの距離ｓ１が短い（例えば、ｓ１が１５ｍｍ以下程度）。そのため、垂直片１２と外壁面材１Ａの間にＹ方向で吹き込んでくる雨水の吹き込み口と、屋根７等の構造躯体との距離が比較的短い。そこで、このような勾配軒であって外壁面材勝ちの納まりにおける軒元においては、水返しシート１０の垂直片１２を見切り部５ａによって外壁面材１Ａに対してＺ１方向に押し付けて固定することにより、高い防水性を有する防水構造１００Ａを形成することができる。
【００４６】
［第２の実施形態に係る外壁見切り部の防水構造］
次に、第２の実施形態に係る外壁見切り部の防水構造の一例を、図４を参照して説明する。図４は、第２の実施形態に係る外壁見切り部の防水構造を示す縦断面図である。図４に示す防水構造１００は、建物の軒天のうち、水平軒の軒元における外壁見切り部の防水構造である。
【００４７】
図４に示すように、水平軒では、野縁６１、縦野縁６２及び軒天材６３が水平に配設され、不図示の軒先において、下地材及び鼻隠し材を介して垂木７１に取り付けられている。また、垂木７１から垂下される不図示の吊木にて野縁６１が固定されていてもよい。水平軒では、軒天材６３が水平に配設されることにより、軒天材６３に取り付けられている見切り材５から延びる見切り部５ａと外壁面材１Ａの当接位置から当該外壁面材１Ａの上端までの距離ｓ２は、比較的長くなる。なお、金属製の見切り部５ａが外壁面材１Ａの直接接触して外壁面材１Ａの表面を傷付けないように、見切り部５ａと外壁面材１Ａの間には、外壁面材１Ａの幅方向に沿う例えば乾式の緩衝材８が配設されている。ここで、緩衝材８は、乾式の止水材ともなり得るＥＰＤＭ系ゴム（エチレンプロピレンゴム）やポリエチレンゴム等から製作することができる。
【００４８】
水平軒の場合、垂直片１２と外壁面材１Ａの間にＹ方向に吹き込んでくる雨水の吹き込み口と、屋根７等の構造躯体との距離が比較的長くなる。そのため、吹き込んできた雨水は上昇過程で勢いが減殺され易く、従って、例えば図３に示す防水構造１００Ａのように水返しシート１０の垂直片１２を外壁面材１Ａに押し付けて固定することにより、防水性を高める必要性は必ずしもない。そのため、水平軒であって外壁面材勝ちの納まりにおける軒元の防水構造には、垂直片１２を何等押さえることのない、図１（ｂ）に示す防水構造１００が適用できる。なお、既述する勾配軒であっても、要求される防水性に応じて、図３に示すように見切り部５ａで水返しシート１０の端部を押し付けることなく、図１（ｂ）に示す防水構造１００を適用してもよい。
【００４９】
［第３の実施形態に係る外壁見切り部の防水構造］
次に、第３の実施形態に係る外壁見切り部の防水構造の一例を、図５を参照して説明する。図５は、第３の実施形態に係る外壁見切り部の防水構造を示す縦断面図である。図５に示す防水構造１００Ｂは、建物の軒天のうち、水平軒の軒元における外壁見切り部の防水構造である点は第２の実施形態に係る外壁見切り部の防水構造１００と同様である。第２の実施形態の防水構造１００との相違点は、水平軒であるものの、垂木７１から垂下される吊木６４にて水返しシート１０の垂直片１２を外壁面材１Ａに対してＺ１方向に押圧している構成を有する点である。
【００５０】
吊木６４は、外壁面材１Ａの幅方向に、例えば４５０ｍｍ乃至５００ｍｍ程度の間隔で垂下される。垂直片１２に対し、吊木６４の側面から押し込み力が作用することより、この吊木６４が配設されている箇所での防水性は高められる。また、間隔を置いて複数の吊木６４にて垂直片１２が押圧されていることにより、吊木６４にて全く押圧されていない場合と比べて、吊木６４に直接押圧されていない領域においても垂直片１２と外壁面材１Ａの密着性は高められ、従って防水構造１００Ｂの防水性は吊木６４に対応する位置と対応しない位置の全てにおいて高められる。
【００５１】
［第４の実施形態に係る外壁見切り部の防水構造］
次に、第４の実施形態に係る外壁見切り部の防水構造の一例を、図６を参照して説明する。図６は、第４の実施形態に係る外壁見切り部の防水構造を示す縦断面図である。図６に示す防水構造１００Ｃは、片棟屋根の棟における防水構造である。
【００５２】
片棟屋根においては、外壁１の上方に大桁４Ａの他、破風下地材９１が取り付けられ、破風下地材９１には化粧破風板９２が取り付けられている。また、破風下地材９１は、片流れ勾配を有する屋根７を構成する垂木７１に取り付けられ、片流れの屋根７から化粧破風板９２に跨るように屈曲した被覆板９３が乾式防水材や下地材等を介してこれらの部材に取り付けられている。この被覆板９３を介して、片棟屋根における屋根換気も行われる。
【００５３】
外壁面材１Ａの上端から外壁面に亘り、接着シート２０を介して取付けられている水返しシート１０に関し、水平片１１は破風下地材９１にて下方にＺ２方向に押し付けられ、垂直片１２は化粧破風板９２にて側方にＺ１方向に押し付けられている。
【００５４】
片棟屋根では、軒等を有しておらず、棟が風雨に直接晒されることから、漏水の問題が顕著になる。本実施形態に係る防水構造１００Ｃによれば、化粧破風板９２と外壁面材１Ａの間にＹ方向に吹き込んできた雨水を、水返しシート１０の垂直片１２と水平片１１の双方が外壁面材１Ａ側に押圧された構成を有していることにより、高い防水性を奏することができ、片棟屋根にて課題となり易い棟での漏水の問題を解消することができる。
【００５５】
［第５の実施形態に係る外壁見切り部の防水構造］
次に、第５の実施形態に係る外壁見切り部の防水構造の一例を、図７を参照して説明する。図７は、第５の実施形態に係る外壁見切り部の防水構造を示す縦断面図である。図７に示す防水構造１００は、建物のバルコニーの腰壁における、笠木下方の見切り部の防水構造である。腰壁も一般の外壁面材１Ａを有しており、笠木９５の垂下片の下方の突起部が腰壁の外壁面の途中位置に固定されることより、外壁見切り部の防水構造と言える。
【００５６】
腰壁１'は、屋外側の外壁面材１Ａとバルコニー側の外壁面材１Ａが、通気層１Ｅ内にあって不図示の縦胴縁を介してフレーム状の下地材１Ｄに固定されて構成されている。この下地材Ｄの上端には笠木取付け板９４が取付けられ、この笠木取付け板９４に笠木９５が取り付けられてバルコニー腰壁が形成される。図７に示すように、笠木９５は、断面形状が略コの字状を呈しており、離間している二つの外壁面材１Ａの上端に上方から被さるようにして配設されている。笠木９５の垂下片の下方内側には突起９５ａがあり、この突起９５ａが緩衝材８を介して外壁面材１Ａを押圧することにより、笠木９５が外壁面材１Ａに固定されている。なお、緩衝材８は、笠木９５と腰壁を構成する外壁面材１Ａの見切り材となる。図７において、突起９５ａは紙面垂直方向に間欠的に通気孔を有しており、通気孔を介して外気が外壁面材１Ａの内側へ導入されるようになっている。
【００５７】
外壁面材１Ａの上端から外壁面に亘って配設された水返しシート１０が接着シート２０を介して外壁面材１Ａの上端に固定されることにより、防水構造１００が形成されている。図示するように、防水構造１００により、笠木９５の突起９５ａと外壁面材１Ａの間をＹ方向に吹き込む雨水が外壁面材１Ａの内側へ浸入することが抑制される。
【００５８】
なお、図示を省略するが、軒の出が極めて少ない、所謂軒ゼロと称される軒元における防水構造や、同様に軒の出の少ないケラバにおける防水構造に関しても、図示する各実施形態の防水構造を適宜選択して適用することが可能である。
【００５９】
上記実施形態に挙げた構成等に対し、その他の構成要素が組み合わされるなどした他の実施形態であってもよく、また、本発明はここで示した構成に何等限定されるものではない。この点に関しては、本発明の趣旨を逸脱しない範囲で変更することが可能であり、その応用形態に応じて適切に定めることができる。例えば、図示する実施形態では、水返しシートを一箇所で折り曲げて断面形状をＬ字状に加工した後、接着シートを介して外壁の上端に固定しているが、水返しシートを二箇所で折り曲げて断面形状をコの字状に加工した後、接着シート無しで外壁の上端からコの字状の水返しシートを被せるようにして外壁の上端に嵌め込んで固定する形態であってもよい。また、この形態において、図示例のように水返しシートと外壁の上端の間に接着シートをさらに介在させてもよい。このように、コの字状の水返しシートを外壁の上端に嵌め込む工程も、本発明の外壁見切り部の防水構造の形成方法におけるプレ固定工程となる。
【符号の説明】
【００６０】
１：外壁、１'：腰壁、１Ａ：外壁面材、１ａ：垂直凹部（凹部）、１ｂ：水平凹部（凹部）、１Ｂ：外張り断熱材（外壁下地材）、１ｄ：透湿防水シート、１Ｃ：通気層、２：横胴縁（溝形鋼）、３：断熱材、４：軒桁、４Ａ：大桁、５：見切り材、５ａ：見切り部、６１：野縁、６２：縦野縁、６３：軒天材、７：屋根、７１：垂木、７２：野地板、７３：ルーフィング、７４：屋根葺き材、８：緩衝材、９１：破風下地材、９２：化粧破風板、９３：被覆板、９４：笠木取付け板、９５：笠木、１０：水返しシート、１０'：折り曲げ前の水返しシート（水返しシート）、１１：水平片、１２：垂直片、２０，２０Ａ：接着シート、１００，１００Ａ，１００Ｂ，１００Ｃ：外壁見切り部の防水構造（防水構造）
【図１】
2019105090.tif 000003
【図２】
2019105090.tif 000004
【図３】
2019105090.tif 000005
【図４】
2019105090.tif 000006
【図５】
2019105090.tif 000007
【図６】
2019105090.tif 000008
【図７】
2019105090.tif 000009